(57)【要約】【課題】条件に応じて、シート体を固く巻き上げるタッチロール方式と、柔らかく巻き上げる側板方式とを使い分けることが可能であるとともに、シート体の切断後において巻ズレを防止することができる。【解決手段】巻き取りタッチロール４と、一対の側板５と、側板５の間に配置され、巻き取りコア２より短寸な押さえロール６とを備え、側板５と押さえロール６とが退避姿勢５ａ、６ａであり、かつ巻き取りタッチロール４が押圧姿勢４ｂである状態でシート体１を巻き取りコア２に巻き取るタッチロール巻き取り運転Ａと、巻き取りタッチロール４が退避姿勢４ａであり、かつ側板５が規制姿勢５ｂである状態で、シート体１を巻き取りコア２に巻き取る側板巻き取り運転Ｂとの間で、運転変更可能とする。【選択図】      図１
2004196446.tif 000002
【特許請求の範囲】
【請求項１】
長尺のシート体をシート体の幅に概ね相当する長さの巻き取りコアに巻き取るシート体巻取り装置であって、
巻き取りコアに巻き取られるシート体を巻き取りコアの方向に押圧する巻き取りタッチロールと、
巻き取りコアに巻き取られるシート体の両側端部を規制する一対の側板と、
上記一対の側板の間に配置され、巻き取りコアに巻き取られるシート体を巻き取りコアの方向に押圧する押さえロールとを備え、
上記巻き取りタッチロールは、巻き取りコアから退避した退避姿勢と、シート体を巻き取りコアの方向に押圧する押圧姿勢との間で姿勢変更可能に設けられ、
上記一対の側板は、巻き取りコアから退避した退避姿勢と、シート体の両側端部を規制する規制姿勢との間で姿勢変更可能に設けられ、
上記押さえロールは、巻き取りコアより短寸であって、巻き取りコアから退避した退避姿勢と、シート体を巻き取りコアの方向に押圧する押圧姿勢との間で姿勢変更可能に設けられ、
上記側板と押さえロールとが退避姿勢であり、かつ巻き取りタッチロールが押圧姿勢である状態でシート体を巻き取りコアに巻き取るタッチロール巻き取り運転と、
上記巻き取りタッチロールが退避姿勢であり、かつ側板が規制姿勢である状態で、シート体を巻き取りコアに巻き取る側板巻き取り運転との間で、
運転変更可能であることを特徴とするシート体巻取り装置。
【請求項２】
上記側板巻き取り運転において、上記押さえロールが押圧姿勢である状態で、シート体を巻き取りコアに巻き取る押さえロール巻き取り運転が可能であることを特徴とする請求項１記載のシート体巻取り装置。
【請求項３】
上記シート体の長手方向に概ね直交するようにシート体を切断するシート体切断装置を備え、
上記シート体切断装置は、巻き取りコアから退避した退避姿勢と、シート体を切断する切断姿勢との間で姿勢変更可能であることを特徴とする請求項１または請求項２のいずれかに記載のシート体巻取り装置。
【請求項４】
上記シート体切断装置は、側板が退避姿勢の状態でシート体を切断するものであり、シート体の切断後、側板が規制姿勢になるまでの間、押さえロールが押圧姿勢の状態で、シート体を押圧する押さえロール切断運転を行うものであることを特徴とする請求項１ないし請求項３のいずれかに記載のシート体巻取り装置。
【請求項５】
上記巻き取りタッチロールと上記押さえロールとは、それぞれ巻き取りコアの軸心に概ね平行な軸心の周りに回転可能な円柱状部材からなり、
上記一対の側板は、それぞれ概ね円盤状に形成され、この一対の円盤状部材の軸心が巻き取りコアの軸心の両延長線上に沿って変位することによりそれぞれ巻き取りコアから退避した退避姿勢と、シート体の両側端部を規制する規制姿勢との間で姿勢変更可能であることを特徴とする請求項１ないし請求項４のいずれかに記載のシート体巻取り装置。
【発明の詳細な説明】
【０００１】
【発明の属する技術分野】
本発明は、グラビア印刷機やラミネータ、コータに付属するターレット式巻取り装置など、長尺のシート体を巻き取りコアに巻き取るシート体巻取り装置に関するものである。
【０００２】
【従来の技術】
一般に、グラビア印刷機やラミネータ、コータに付属するターレット式巻取り装置など、長尺のシート体を巻き取りコアに巻き取るシート体巻取り装置においては、大別して、シート体を巻き取りコアの方向に押圧する巻き取りタッチロールを用いてシート体を巻き上げる方法と、例えば、特許文献１に開示されているように、シート体の両側端部を規制する一対の側板を用いてシート体を巻き上げる方法とが用いられている。
【０００３】
前者の巻き取りタッチロールを備えたシート体巻取り装置では、巻き始めから巻きズレ無くかつ固く巻き上げる事が可能である。
【０００４】
また、後者の側板を用いてシート体を巻き上げる方法では、側板が巻ズレ防止の案内となり、巻ズレなくかつ柔らかく巻き上げる事が可能である。
【０００５】
【特許文献１】
特開２００２−６８５４２号公報
【０００６】
【発明が解決しようとする課題】
しかしながら、上述の巻き取りタッチロールを用いる方法では、巻取り製品が固く巻き上がるために、印刷がシート体に裏写りするブロッキングという製品不良を引き起こすことがあった。これを回避する為には、巻取りタッチロールの加圧力を下げたり、タッチロールを使用しないで柔らかく巻き上げる方法を採るが、この方法では、巻き上げたシートが巻いている途中で巻ずれを起こしてしまうという不具合がある。
【０００７】
また、上述の特許文献１に開示されたシート体巻取り装置のように側板を用いてシート体を巻き上げる方法では、シート体が柔らかく巻き上げられるので、梱包等をうまくやらないと、巻取り製品の運搬時に巻ズレを起こしてしまうという問題があった。また、シート切断後、側板が移動して来るまでの時間に巻ズレを防止する手段が無い為に、表面が滑りやすいシートの場合には巻ズレが発生するという問題があった。
【０００８】
本発明は上記不具合に鑑みてなされたものであり、シート体の材質などの条件に応じて、シート体を固く巻き上げるタッチロール方式と、シート体を柔らかく巻き上げる側板方式とを使い分けることが可能であるとともに、シート体の切断後において巻ズレを防止することができるシート体巻取り装置を提供することを課題としている。
【０００９】
【課題を解決するための手段】
上記課題を解決するための本発明は、長尺のシート体をシート体の幅に概ね相当する長さの巻き取りコアに巻き取るシート体巻取り装置であって、巻き取りコアに巻き取られるシート体を巻き取りコアの方向に押圧する巻き取りタッチロールと、巻き取りコアに巻き取られるシート体の両側端部を規制する一対の側板と、上記一対の側板の間に配置され、巻き取りコアに巻き取られるシート体を巻き取りコアの方向に押圧する押さえロールとを備え、上記巻き取りタッチロールは、巻き取りコアから退避した退避姿勢と、シート体を巻き取りコアの方向に押圧する押圧姿勢との間で姿勢変更可能に設けられ、上記一対の側板は、巻き取りコアから退避した退避姿勢と、シート体の両側端部を規制する規制姿勢との間で姿勢変更可能に設けられ、上記押さえロールは、巻き取りコアより短寸であって、巻き取りコアから退避した退避姿勢と、シート体を巻き取りコアの方向に押圧する押圧姿勢との間で姿勢変更可能に設けられ、上記側板と押さえロールとが退避姿勢であり、かつ巻き取りタッチロールが押圧姿勢である状態でシート体を巻き取りコアに巻き取るタッチロール巻き取り運転と、上記巻き取りタッチロールが退避姿勢であり、かつ側板が規制姿勢である状態で、シート体を巻き取りコアに巻き取る側板巻き取り運転との間で、運転変更可能であることを特徴とするシート体巻取り装置である。
【００１０】
本発明によれば、側板と押さえロールとが退避姿勢で、巻き取りタッチロールが押圧姿勢である状態でシート体を巻き取るタッチロール巻き取り運転においては、巻き取り固さを固めにすることが可能となる。また、巻き取りタッチロールが退避姿勢で、側板が規制姿勢である状態で、シート体を巻き取る側板巻き取り運転においては、巻き取り固さを柔らかめにすることが可能となる。そして、この巻き取り固さを固めにする運転と、巻き取り固さを柔らかめにする運転との間で、運転変更可能であるので、汎用性の高いシート体巻取り装置を実現することができる。
【００１１】
ここで、上記シート体巻取り装置は、上記側板巻き取り運転において、上記押さえロールが押圧姿勢である状態で、シート体を巻き取りコアに巻き取る押さえロール巻き取り運転が可能であることが好ましい。
【００１２】
この好ましい態様によれば、側板巻き取り運転において、押さえロール巻き取り運転、すなわち押さえロールが押圧姿勢である状態で、シート体を巻き取りコアに巻き取ることが可能であるので、タッチロール巻き取り運転と、側板巻き取り運転とので、シート体を巻き取ることが可能となる。
【００１３】
また、上記シート体巻取り装置は、上記シート体の長手方向に概ね直交するようにシート体を切断するシート体切断装置を備え、上記シート体切断装置は、巻き取りコアから退避した退避姿勢と、シート体を切断する切断姿勢との間で姿勢変更可能であることが好ましい。
【００１４】
この好ましい態様によれば、シート体の長手方向に概ね直交するようにシート体を切断するシート体切断装置が、巻き取りコアから退避した退避姿勢と、シート体を切断する切断姿勢との間で姿勢変更可能であるので、シート体切断装置が退避姿勢をとることで、巻き取りタッチロール、側板、押さえロール、それぞれの姿勢変更に干渉しないようにすることができる。
【００１５】
また、上記シート体切断装置は、側板が退避姿勢の状態でシート体を切断するものであり、押さえロールが、シート体の切断後、側板が規制姿勢になるまでの間、押圧姿勢の状態で、シート体を押圧する押さえロール切断運転を行うものであることが好ましい。
【００１６】
この好ましい態様によれば、シート体切断装置でシート体を切断するに際して押さえロールが、シート体の切断後、側板が規制姿勢になるまでの間、押圧姿勢の状態で、シート体を押圧するので、シート体の切断後、シート体が巻きズレすることがない。
【００１７】
また、上記巻き取りタッチロールと上記押さえロールとは、それぞれ巻き取りコアの軸心に概ね平行な軸心の周りに回転可能な円柱状部材からなり、上記一対の側板は、それぞれ概ね円盤状に形成され、この一対の円盤状部材の軸心が巻き取りコアの軸心の両延長線上に沿って変位することによりそれぞれ巻き取りコアから退避した退避姿勢と、シート体の両側端部を規制する規制姿勢との間で姿勢変更可能であることが好ましい。
【００１８】
この好ましい態様によれば、巻き取りタッチロールと押さえロールとが、それぞれ巻き取りコアの軸心に概ね平行な軸心の周りに回転可能な円柱状部材からなるので、シート体の表面に対して働く摩擦力を小さなものにすることができる。また、それぞれ概ね円盤状に形成された一対の側板の軸心が巻き取りコアの軸心の両延長線上に沿って変位することにより退避姿勢と、規制姿勢との間で姿勢変更可能であるので、姿勢変更に係る機構全体をコンパクトなものにすることができる。
【００１９】
【発明の実施の形態】
以下、添付図面を参照しながら本発明の好ましい実施の一形態について詳述する。図１は本発明の実施の形態に係るシート体巻取り装置１０の構成を示す側面図であり、図２はシート体巻取り装置１０の構成を示す平面図である。
【００２０】
これらの図を参照して、図示の本発明の実施の形態に係るシート体巻取り装置１０は、長尺のシート体１をシート体１の幅に概ね相当する長さの巻き取りコア２に巻き取るものであり、上記シート体１は、架台８に設けられたロール９を介して図略の印刷機からシート体巻取り装置１０に供給されるように構成されている（図２、図３）。
【００２１】
上記巻き取りコア２は、アーム架台１１に設けられたアーム軸３ｄを軸として回動する一対のアーム３の両端部に設けられた軸部３ｃに取り付け可能とされ、上記軸部３ｃを備えたアーム端部が、巻き取りコア２にシート体１を巻き取る巻き取り位置３ａと、巻き取りが完了したシート体のロールを取り外し可能とする取り外し位置３ｂとの間で位置変更可能に構成されている。そして、アーム３の一端側が巻き取り位置３ａにある場合は他端側が取り外し位置３ｂになり、この状態からアーム３が１８０°回転すると上記一端側が取り外し位置３ｂ、他端側が巻き取り位置３ａに変わるようになっている。
【００２２】
上記シート体巻取り装置１０は、巻き取りコア２に巻き取られるシート体１を巻き取りコア２の方向に押圧する巻き取りタッチロール４と、巻き取りコア２に巻き取られるシート体１の両側端部１ａ（図２）を規制する一対の側板５を、それぞれの巻き取りコア２に備えている。さらに、巻き取り姿勢３ａにあるアーム３に取り付けられた巻き取りコア２において、上記一対の側板５の間に配置され、巻き取りコア２に巻き取られるシート体１を巻き取りコア２の方向に押圧する押さえロール６を備えている。
【００２３】
上記巻き取りタッチロール４は、巻き取りコア２の軸心２ｃに概ね平行な軸心４ｃの周りに回転可能な円柱状部材から構成されている。そして、この巻き取りタッチロール４は、アーム３と直交するように設けられた支柱部材１２のタッチロール回動軸４ｄを軸として図略の駆動装置で駆動されて回動することにより、巻き取りコア２から退避した退避姿勢４ａと、シート体１を巻き取りコア２の方向に押圧する押圧姿勢４ｂとの間で姿勢変更可能に構成されている。
【００２４】
それぞれの巻き取りコア２に設けられたそれぞれ一対の側板５は、概ね円盤状に形成され、このそれぞれ一対の円盤状部材の軸心５ｃが巻き取りコア２の軸心２ｃの両延長線上に沿って変位することにより巻き取りコア２から退避した退避姿勢５ａと、シート体１の両側端部１ａを規制する規制姿勢５ｂとの間で姿勢変更可能に設けられている（図２）。
【００２５】
上記押さえロール６も、巻き取りコア２の軸心２ｃに概ね平行な軸心６ｃの周りに回転可能な巻き取りコア２より短寸の円柱状部材からなり、駆動装置１３で駆動され、押さえロール回動軸６ｄを軸として回動することにより、巻き取りコア２から退避した退避姿勢６ａと、シート体１を巻き取りコア２の方向に押圧する押圧姿勢６ｂとの間で姿勢変更可能に構成されている。
【００２６】
また、上記シート体巻取り装置１０は、上記シート体１の長手方向に概ね直交するようにシート体１を切断するシート体切断装置７を備え、このシート体切断装置７は、巻き取りコア２から退避した退避姿勢７ａと、シート体１を切断する切断姿勢７ｂとの間で姿勢変更可能に構成されている。そして、シート体切断装置７が退避姿勢７ａをとることで、巻き取りタッチロール４と、側板５と、押さえロール６との、それぞれの姿勢変更に干渉しないようになっている。
【００２７】
そして、このシート体切断装置７は、本実施形態においては、特開平８−２８１５９４公報に開示されたシート体切断装置が、特に用いられている。すなわち、シート体１の両側外方に配設された一対の支持体７ｃと、これら一対の支持体７ｃ間に設けられた主軸７ｄ回りに回転可能なカッタ手段７ｅと、このカッタ手段７ｅを主軸７ｄ回りに回転させる図略のカッタ手段用駆動手段とが備えられ、上記カッタ手段７ｅは、シート体１を切断するカッタ刃７ｆと、シート体１の切れ端を粘着剤が塗布された紙管（巻き取りコア２）に押し付ける押付け手段（刷毛７ｇ）とを具備し、これらカッタ刃７ｆと押付け手段（刷毛７ｇ）とは、紙管の表面に対向するように位置設定され、カッタ手段用駆動手段は、カッタ刃７ｆがシート体１を切断しない待機姿勢７ｈとカッタ刃７ｆがシート体１を切断する切断姿勢７ｉとの間でカッタ手段７ｅを回動させ得るように構成され、このカッタ手段７ｅの周速度は、紙管の表面の周速度よりも速くなるように速度設定されている。そして、このようなシート体切断装置７を用いることにより、シート体巻取り装置１０は、巻き始めにシワの発生がなく、かつ巻きズレが起きないものにすることができるようになっている。
【００２８】
そして、このシート体巻取り装置１０は、汎用性の高いシート体巻取り装置とするために、巻き取りコア２に対する巻き取り固さを固めにするためのタッチロール巻き取り運転Ａ（図３，図４）と、巻き取りコア２に対する巻き取り固さを柔らかめにする側板巻き取り運転Ｂ（図５，図６）との間で、運転変更可能に構成されている。
【００２９】
また、このシート体巻取り装置１０は、側板巻き取り運転Ｂにおいて、さらにタッチロール巻き取り運転Ａと、側板巻き取り運転Ｂとの中間の巻き取り固さで、シート体１を巻き取ることを可能とするための押さえロール巻き取り運転Ｃ（図７）も可能となるようになっている。
【００３０】
次に図３〜９を参照して、本発明の実施の形態に係るシート体巻取り装置１０の作用について説明する。
【００３１】
図３は本発明の実施の形態に係るシート体巻取り装置１０のタッチロール巻き取り運転Ａを示す側面図、図４は同平面図である。
【００３２】
これらの図を参照して、上記タッチロール巻き取り運転Ａは、上記側板５と押さえロール６とが退避姿勢５ａ、６ａであり、かつ巻き取りタッチロール４が押圧姿勢４ｂである状態でシート体１を巻き取りコア２に巻き取るようになっており、このタッチロール巻き取り運転Ａにより、シート体１の巻き取り固さを固めにすることが可能となる。
【００３３】
なお、このタッチロール巻き取り運転Ａにおいては、シート体切断装置７は、図８に示すように、巻き取りタッチロール４と、側板５と、押さえロール６とが退避姿勢４ａ、５ａ、６ａの状態で、シート体１をカッタ手段７ｅで切断する。図８は、シート体切断装置７のタッチロール巻き取り運転Ａにおける切断運転（タッチロール切断運転Ｄ）を示す側面図である。このタッチロール切断運転Ｄにおいては、シート体切断装置７に付いている切断装置用押さえロール１４は、巻き取りタッチロール４が、タッチロール巻き取り運転Ａにおいて押圧姿勢４ｂの状態になるまでの間、押圧姿勢１４ｂの状態でシート体１を押圧するので、シート体１の切断後から巻取りタッチロール４によるタッチロール巻き取り運転Ａの全域において巻きズレすることがないようになっている。
【００３４】
次に、図５は本発明の実施の形態に係るシート体巻取り装置１０の側板巻き取り運転Ｂを示す側面図、図６は同平面図である。
【００３５】
これらの図を参照して、上記側板巻き取り運転Ｂは、巻き取りタッチロール４が退避姿勢４ａであり、かつ側板５が規制姿勢５ｂ（図２参照）である状態で、シート体１を巻き取りコア２に巻き取るようになっている。
【００３６】
この側板巻き取り運転Ｂにより、シート体１の巻き取り固さを柔らかめにすることが可能となる。
【００３７】
また、図７は本発明の実施の形態に係るシート体巻取り装置１０の押さえロール巻き取り運転Ｃを示す側面図である。
【００３８】
これらの図を参照して、上記押さえロール巻き取り運転Ｃは、側板巻き取り運転Ｂにおいて、押さえロール６が押圧姿勢６ｂである状態で、シート体１を巻き取りコア２に巻き取るようになっている。
【００３９】
この押さえロール巻き取り運転Ｃにより、タッチロール巻き取り運転Ａと、側板巻き取り運転Ｂとの中間の巻き取り固さで、シート体１を巻き取ることが可能となる。
【００４０】
さらに、図９は、側板巻き取り運転Ｂと、押さえロール巻き取り運転Ｃとにおいて、シート体１の切断後、側板５が規制姿勢５ｂになるまでの間、押さえロール６が押圧姿勢６ｂの状態で、シート体１を押圧する押さえロール切断運転Ｅを示す側面図であり、図１０は同平面図である。
【００４１】
これらの図を参照して、上記押さえロール切断運転Ｅは、本実施の形態においては巻き取りコア２へのシート体１の巻取りが完了したアーム一端側を取り外し位置３ｂへ位置変更するようにアーム３を回動した後、巻き取り位置３ａ側においてシート体１をシート体切断装置７のカッタ手段７ｅで切断するとともに、この切断されたシート体１の上流側の端を、巻き取り位置３ａにあるアーム３に取り付けられた空の巻き取りコア２の粘着剤が塗布された粘着部２ｄに押圧して貼着するようになっている。
【００４２】
なお、この押さえロール切断運転Ｅにおいては、シート体切断装置７と側板５との干渉を避けるため、側板５が退避姿勢５ａの状態でシート切断装置７によるシート体１の切断を行うようになっており、シート体１の切断後、側板５が規制姿勢５ｂになるまでの間、シート体１が、巻きズレすることがないようにするために、押さえロール６が、押圧姿勢６ｂの状態で、シート体１を押圧するようになっている。
【００４３】
以上説明したように、本発明の実施の形態に係るシート体巻取り装置１０によれば側板５と押さえロール６とが退避姿勢５ａ、６ａで、巻き取りタッチロール４が押圧姿勢４ｂである状態でシート体１を巻き取るタッチロール巻き取り運転Ａにおいては、巻き取り固さを固めにすることが可能となる。また、巻き取りタッチロール４が退避姿勢４ａで、側板５が規制姿勢５ｂである状態で、シート体１を巻き取る側板巻き取り運転Ｂにおいては、巻き取り固さを柔らかめにすることが可能となる。そして、この巻き取り固さを固めにする運転と、巻き取り固さを柔らかめにする運転との間で、運転変更可能であるので、汎用性の高いシート体巻取り装置１０を実現することができる。
【００４４】
また、本発明の実施の形態によれば、側板巻き取り運転Ｂにおいて、押さえロール巻き取り運転Ｃ、すなわち押さえロール６が押圧姿勢６ｂである状態で、シート体１を巻き取りコア２に巻き取ることが可能であるので、タッチロール巻き取り運転Ａと、側板巻き取り運転Ｂとの中間の巻き取り固さで、シート体１を巻き取ることが可能となる。
【００４５】
また、本発明の実施の形態によれば、シート体１の長手方向に概ね直交するようにシート体１を切断するシート体切断装置７が、巻き取りコア２から退避した退避姿勢７ａと、シート体１を切断する切断姿勢との間で姿勢変更可能であるので、シート体切断装置７が退避姿勢７ａをとることで、巻き取りタッチロール４と、側板５と、押さえロール６とのそれぞれの姿勢変更に干渉しないようにすることができる。
【００４６】
さらに本発明の実施の形態によれば、シート体切断装置７でシート体１を切断するに際して押さえロール６が、シート体１の切断後、側板５が規制姿勢４ｂになるまでの間、押圧姿勢４ｂの状態で、シート体１を押圧するので、シート体１の切断後、シート体１が巻きズレすることがない。
【００４７】
また、本発明の実施の形態によれば、巻き取りタッチロール４と押さえロール６とが、それぞれ巻き取りコア２の軸心２ｃに概ね平行な軸心４ｃ、６ｃの周りに回転可能な円柱状部材からなり、それぞれ概ね円盤状に形成された一対の側板５の軸心５ｃが巻き取りコア２の軸心２ｃの両延長線上に沿って変位することにより退避姿勢５ａと、規制姿勢５ｂとの間で姿勢変更可能であるので、装置全体をコンパクトなものにすることができる。
【００４８】
上述した実施の形態は本発明の好ましい具体例を例示したものに過ぎず、本発明は上述した実施の形態に限定されない。
【００４９】
例えば、巻き取りコア２は、図示のように、回動する一対のアーム３のそれぞれの端部３ｃに取り付け可能とされることは必ずしも必要ではない。また、アーム３も、アーム３の端部３ｃに取り付けた巻き取りコア２が、シート体１を巻き取る巻き取り姿勢３ａと、巻き取りが完了して取り外し可能となる取り外し姿勢３ｂとの間で姿勢変更可能に構成されることも必ずしも必要でない。長尺のシート体１をシート体１の幅に概ね相当する長さの巻き取りコア２に巻き取るものであれば、巻き取りコア２は一つのアームの端部に取り付け可能とされるものであっても良いなど、種々の設計変更が可能である。
【００５０】
また、巻き取りタッチロール４と、押さえロール６とは、必ずしも巻き取りコア２の軸心２ｃに概ね平行な軸心４ｃ、６ｃの周りに回転可能な円柱状部材から構成されることに限定されない。軸心２ｃに平行でない軸心の周りに回転可能な複数の球状部材であってもよいなど種々の設計変更が可能である。
【００５１】
側板５も必ずしも円盤状に形成されたものに限定されず、シート体１の両側端部１ａを規制する規制姿勢５ｂを取ることができるものであれば、種々の設計変更が可能である。
【００５２】
シート体切断装置７も、必ずしも切断されたシート体１の母材側の端を、空の巻き取りコア２の粘着剤が塗布された粘着部２ｄに押圧して貼着するようになっているものに限定されない。シート体１を切断可能なものであれば、種々の設計変更が可能である。
【００５３】
その他、本発明の特許請求の範囲内で種々の設計変更が可能であることはいうまでもない。
【００５４】
【発明の効果】
以上説明したように、本発明によれば、シート体の材質などの条件に応じて、シート体を固く巻き上げるタッチロール方式と、シート体を柔らかく巻き上げる側板方式とを使い分けることが可能であるとともに、シート体の切断後において巻ズレを防止することができるという顕著な効果を奏する。
【図面の簡単な説明】
【図１】本発明の実施の形態に係るシート体巻取り装置の構成を示す側面図である。
【図２】シート体巻取り装置の構成を示す平面図である。
【図３】本発明の実施の形態に係るシート体巻取り装置のタッチロール巻き取り運転を示す側面図である。
【図４】上記タッチロール巻き取り運転を示す平面図である。
【図５】本発明の実施の形態に係るシート体巻取り装置の側板巻き取り運転を示す側面図である。
【図６】上記側板巻き取り運転を示す平面図である。
【図７】本発明の実施の形態に係るシート体巻取り装置の押さえロール巻き取り運転を示す側面図である。
【図８】シート体切断装置のタッチロール巻き取り運転における切断運転（タッチロール切断運転）を示す側面図である。
【図９】シート体の切断後、側板が規制姿勢になるまでの間、押さえロールが押圧姿勢の状態で、シート体を押圧する押さえロール切断運転を示す側面図である。
【図１０】上記切断運転を示す平面図である。
【符号の説明】
１      シート体
１ａ    両側端部
２      巻き取りコア
４      巻き取りタッチロール
５      側板
５ｂ    規制姿勢
６      押さえロール
７      シート体切断装置
７ｂ    切断姿勢
４ａ、５ａ、６ａ、７ａ  退避姿勢
４ｂ、６ｂ      押圧姿勢
２ｃ、４ｃ、５ｃ、６ｃ  軸心
１０    シート体巻取り装置
Ａ      タッチロール巻き取り運転
Ｂ      側板巻き取り運転
Ｃ      押さえロール巻き取り運転
Ｅ      押さえロール切断運転
【図１】
2004196446.tif 000003
【図２】
2004196446.tif 000004
【図３】
2004196446.tif 000005
【図４】
2004196446.tif 000006
【図５】
2004196446.tif 000007
【図６】
2004196446.tif 000008
【図７】
2004196446.tif 000009
【図８】
2004196446.tif 000010
【図９】
2004196446.tif 000011
【図１０】
2004196446.tif 000012